(57)【要約】【課題】  患者の生体組織の手術時、手術部位で発生する出血を吸入し、肉眼で接近しにくい深度の深い部位を小型カメラを通じてモニタリングすることで手術部位の視野を確保しうる手術器具を提供すること。【解決手段】  本発明の手術器具は全体的にはさみに類似な形状を有し、第１本体部と、第１本体部と対称な形状を有する第２本体部と、第１本体部と第２本体部とが交差され、回転自在に結合するヒンジ部と、第１本体部の先端と第２本体部の先端との間の手術部位を撮影するためにヒンジ部に具備される撮影部と、を含むことができる。ここで、撮影部は、ヒンジ部の前面中央にレンズが露出するように内装され、撮影された画像情報をモニターに伝送するカメラを含むことができる。【選択図】図１
2010259770.tif 000002
【特許請求の範囲】
【請求項１】
第１本体部と、
前記第１本体部と対称な形状を有する第２本体部と、
前記第１本体部と前記第２本体部とが交差され、回転自在に結合するヒンジ部と、
前記第１本体部の先端と前記第２本体部の先端との間の手術部位を撮影するために前記ヒンジ部に具備される撮影部と、を含むことを特徴とする手術器具。
【請求項２】
前記ヒンジ部は、
前記第１本体部と前記第２本体部との交差回転部位の間に位置するヒンジ本体と、
前記ヒンジ本体の上面と下面に突出形成され、前記第１本体部と前記第２本体部のヒンジホールにそれぞれ挿入されてヒンジ結合されるヒンジ軸と、を含むことを特徴とする請求項１に記載の手術器具。
【請求項３】
前記撮影部は、前記ヒンジ本体の前面中央にレンズが露出されるように内装され、撮影された画像情報をモニターに伝送するカメラを含むことを特徴とする請求項２に記載の手術器具。
【請求項４】
前記カメラの焦点は、前記第１本体部の先端と前記第２本体部の先端との間の空間の中央部位を向くように配置されることを特徴とする請求項３に記載の手術器具。
【請求項５】
前記撮影部の前方を照明するための照明部を更に含むことを特徴とする請求項１に記載の手術器具。
【請求項６】
前記照明部は前記ヒンジ部に内装され、光源で発生する光を光伝送して前記撮影部の前方を照射するようにガイドする光繊維を含むことを特徴とする請求項５に記載の手術器具。
【請求項７】
前記光繊維の先端は前記ヒンジ部の前面に露出され、前記撮影部を基準に上下または左右に対称となるように配置されることを特徴とする請求項６に記載の手術器具。
【請求項８】
前記照明部は、前記撮影部の前方を照射しうるように前記ヒンジ部の前面に前記撮影部を基準に上下または左右に対称となるように配置される電球またはＬＥＤランプであることを特徴とする請求項５に記載の手術器具。
【請求項９】
前記手術器具は、前記第１本体部と前記第２本体部とが前記ヒンジ部を中心に回転するとき、前記カメラの焦点が前記第１本体部の先端と前記第２本体部の先端との間の空間の中央をいつも維持するように前記カメラの焦点位置をガイドするカメラガイド部を更に含むことを特徴とする請求項３に記載の手術器具。
【請求項１０】
前記カメラガイド部は、
前記ヒンジ本体の後方に延長するように形成されるガイドロッドと、
前記ガイドロッドの後端に回転自在に結合されるピニオンと、
前記ピニオンとかみ合うように前記第１本体部と前記第２本体部にそれぞれ具備され、前記第１本体部と前記第２本体部の回転時、前記ピニオンを回転させながら前記ガイドロッドが前記第１本体部と前記第２本体部との間の中央にいつも位置するようにする一対のラックと、を含むことを特徴とする請求項９に記載の手術器具。
【請求項１１】
前記第１本体部または前記第２本体部の先端に形成される少なくとも一つの穴を通じて手術中に患者の出血部位で発生する血液を吸入するための吸入部を更に含むことを特徴とする請求項１に記載の手術器具。
【請求項１２】
前記穴を通じて流体を供給して排出するための流体供給部を更に含むことを特徴とする請求項１１に記載の手術器具。
【請求項１３】
前記穴と連結されるように前記第１本体部または前記第２本体部にチューブ管が内装され、前記チューブ管は、前記吸入部と前記流体供給部に連結されることを特徴とする請求項１２に記載の手術器具。
【請求項１４】
前記チューブ管と前記吸入部及び流体供給部が連結される部位には、前記吸入部による血液吸入と前記流体供給部による流体供給を選択的にスイッチングするスイッチングバルブが具備されることを特徴とする請求項１３に記載の手術器具。
【請求項１５】
前記第１本体部または前記第２本体部の内部には、前記チューブ管が挿入されて内装されるようにチューブ管挿入ホールが長手方向に長く形成されることを特徴とする請求項１３に記載の手術器具。
【請求項１６】
前記穴は、前記第１本体部または前記第２本体部における先端の前面または内側面に形成されることを特徴とする請求項１１に記載の手術器具。
【請求項１７】
前記第１及び第２本体部の先端は、上方または下方に曲げられたように形成されることを特徴とする請求項１に記載の手術器具。
【請求項１８】
前記第１及び第２本体部の後端には、指を入れて把持しうるように取っ手部が形成されることを特徴とする請求項１に記載の手術器具。
【請求項１９】
前記第１本体部と前記第２本体部が回転するとき、前記ヒンジ本体との干渉が発生しないよう前記第１本体部と前記第２本体部との交差回転の結合部位には前記ヒンジ本体を収容するヒンジ収容部がそれぞれ形成されることを特徴とする請求項２に記載の手術器具。
【請求項２０】
先端に少なくとも一つの穴の形成される第１本体部と、
前記第１本体部と対称な形状を有し、先端に少なくとも一つの穴の形成される第２本体部と、
前記第１本体部と前記第２本体部とが交差して回転自在に結合されるヒンジ部と、
前記ヒンジ部に内装され、前記第１本体部の先端と前記第２本体部の先端との間の手術部位を撮影するカメラと、
前記ヒンジ部に内装され、光源から発生する光を光伝送して前記カメラの前方を照射するようにガイドする光繊維と、
前記第１本体部と前記第２本体部とが前記ヒンジ部を中心に回転するとき、前記カメラの焦点が前記第１本体部の先端と前記第２本体部の先端との開けられた間の中央をいつも維持するように前記カメラの焦点の位置をガイドするカメラガイド部と、
前記第１本体部または前記第２本体部の前記穴を通じて手術中に患者の出血部位で発生する血液を吸入するための吸入部と、
前記第１本体部または前記第２本体部の前記穴を通じて流体を供給して排出するための流体供給部と、を含むことを特徴とする手術器具。
【発明の詳細な説明】
【技術分野】
【０００１】
本発明は、手術器具に関わり、より詳細には患者の生体組織を剥離するなどの手術に用いる手術器具に関する。
【背景技術】
【０００２】
一般的に、外科手術中には、軟部組織（ｓｏｆｔ  ｔｉｓｓｕｅ）を剥離（ｄｉｓｓｅｃｔｉｏｎ）して、手術部位を手術者（ｏｐｅｒａｔｅｒ）の希望する手術視野に入れる場合が多い。
【０００３】
しかし、人体の解剖学的構造上、手術部位を手術者の視野で確認できないため、指先の感覚のみで組織剥離を行わなければならない危険な状況が度々発生する。そのため、視野の確認されない組織を剥離する途中に出血が発生すると、単純圧迫止血を行って出血を止めることもできるが、止血されないと患者に危険な状況が発生するおそれがある。単純圧迫によって止血されたとしても、出血した組織に再び操作を行う場合、再出血の発生可能性が高いため、手術者はそれ以上の組織剥離を進行しにくい。そして、最悪の場合には、劣悪な視野のせいで手術の目的と直接関係のない他の重要な臓器の損傷を誘発するおそれがある。
【０００４】
このような結果は、患者に手術後の合併症や死亡率を増加させる原因となる。本発明の属する技術分野に関わる参考先行技術文献は下記のようである。
【先行技術文献】
【特許文献】
【０００５】
【特許文献１】韓国特許登録第１０−０８２８１３５号
【特許文献２】韓国特許登録第１０−０５９２９４４号
【特許文献３】韓国実用新案登録第２０−０３３８０６８号
【発明の概要】
【発明が解決しようとする課題】
【０００６】
そこで、本発明は、上記問題に鑑みてなされたものであり、本発明の目的とするところは、患者の生体組織の手術時、肉眼で接近しにくい深度の深い部位を小型カメラを通じてモニタリングすることによって、手術部位を確保することが可能な、新規かつ改良された手術器具を提供することにある。
【０００７】
本発明の他の目的は、患者の生体組織の手術時、暗くて深度の深い手術部位で発生する出血を吸入して照明を照らして手術部位の視野を確保することによって、手術者が安全かつ迅速な手術を行いうるようにする手術器具を提供することにある。
【０００８】
本発明の目的は、前記言及した目的に制限されることなく、言及しない更に他の目的は下記の記載から当業者に明確に理解されるだろう。
【課題を解決するための手段】
【０００９】
前記目的を達成するための本発明の手術器具は、第１本体部と、前記第１本体部と対称な形状を有する第２本体部と、前記第１本体部と前記第２本体部とが交差され、回転自在に結合するヒンジ部と、前記第１本体部の先端と前記第２本体部の先端との間の手術部位を撮影するために前記ヒンジ部に具備される撮影部と、を含むことができる。
【００１０】
また、前記ヒンジ部は、前記第１本体部と前記第２本体部との交差回転部位の間に位置するヒンジ本体と、前記ヒンジ本体の上面と下面に突出して形成され、前記第１本体部と前記第２本体部のヒンジホールにそれぞれ挿入されてヒンジ結合されるヒンジ軸と、を含むことができる。
【００１１】
なお、本発明で上下とは、ヒンジ部の回転面に対して垂直の方向（垂直に沿った両方向）であり、左右とは、回転面の回転軸に向かった場合の左右の方向である。
また、前記撮影部は、前記ヒンジ本体の前面中央にレンズが露出するように内装され、撮影された画像情報をモニターに伝送するカメラを含むことができる。
【００１２】
ここで、前記カメラの焦点は、前記第１本体部の先端と前記第２本体部の先端との間の空間の中央部位を向くように配置されることが望ましい。
本発明の手術器具は、前記撮影部の前方を照明するための照明部を更に含むことができる。
【００１３】
また、前記照明部は、前記ヒンジ部に内装され、光源で発生する光を光伝送して前記撮影部の前方を照射するようにガイドする光繊維を含むことができる。
ここで、前記光繊維の先端は、前記ヒンジ部の前面に露出され、前記撮影部を基準に上下または左右に対称となるように配置されることが望ましい。
【００１４】
また、前記照明部は、前記撮影部の前方を照射しうるように、前記ヒンジ部の前面に前記撮影部を基準に上下または左右に対称となるように配置される電球またはＬＥＤランプを含むことができる。
【００１５】
なお、本発明の手術器具は、前記第１本体部と前記第２本体部とが前記ヒンジ部を中心に回転するとき、前記カメラの焦点が前記第１本体部の先端と前記第２本体部の先端との間の空間の中央をいつも維持するように前記カメラの焦点位置をガイドするカメラガイド部を更に含むことができる。
【００１６】
また、前記カメラガイド部は、前記ヒンジ本体の後方に延長するように形成されるガイドロッドと、前記ガイドロッドの後端に回転自在に結合されるピニオンと、前記ピニオンとかみ合うように前記第１本体部と前記第２本体部にそれぞれ具備され、前記第１本体と前記第２本体部の回転時、前記ピニオンを回転させながら前記ガイドロッドを前記第１本体部と前記第２本体部との間の中央にいつも位置するようにする一対のラックと、を含むことができる。
【００１７】
また、本発明の手術器具は、前記第１本体部または前記第２本体部の先端に形成される少なくとも一つの穴を通じて手術中に患者の出血部位で発生する血液を吸入するための吸入部と、前記穴を通じて流体を供給して排出するための流体供給部を更に含むことができる。ここで、前記穴は、前記第１本体部または前記第２本体部の先端の前面または内側面に形成されることが望ましい。
【００１８】
また、前記穴と連結されるように、前記第１本体部または前記第２本体部にチューブ管が内装され、前記チューブ管は、前記吸入部と前記流体供給部に連結されることが望ましい。
【００１９】
また、前記チューブ管と前記吸入部及び流体供給部とが連結される部位には、前記吸入部による血液吸入と前記流体供給部による流体供給とを選択的にスイッチングするスイッチングバルブが具備されることが望ましい。
【００２０】
また、前記第１本体部または前記第２本体部の内部には、前記チューブ管が挿入されて内装されるように、チューブ管挿入ホールが長手方向に長く形成されることが望ましい。
また、前記第１及び第２本体部の先端は、上方または下方に曲げられたように形成されることが望ましい。
【００２１】
また、前記第１及び第２本体部の後端には、指を入れて把持しうるように取っ手部が形成されることが望ましい。
また、前記第１本体部と前記第２本体部が回転するとき、前記ヒンジ本体との干渉が発生しないように、前記第１本体部と前記第２本体部との交差回転の結合部位には、前記ヒンジ本体を収容するヒンジ収容部がそれぞれ形成されることが望ましい。
【００２２】
本発明の手術器具は、先端に少なくとも一つの穴の形成される第１本体部と、前記第１本体部と対称な形状を有し、先端に少なくとも一つの穴の形成される第２本体部と、前記第１本体部と前記第２本体部とが交差して回転自在に結合されるヒンジ部と、前記ヒンジ部に内装され、前記第１本体部の先端と前記第２本体部の先端との間の手術部位を撮影するカメラと、前記ヒンジ部に内装され、光源から発生する光を光伝送して前記カメラの前方を照射するようにガイドする光繊維と、前記第１本体部と前記第２本体部とが前記ヒンジ部を中心に回転するとき、前記カメラの焦点が前記第１本体部の先端と前記第２本体部の先端との間の空間の中央をいつも維持するように前記カメラの焦点の位置をガイドするカメラガイド部と、前記第１本体部または前記第２本体部の前記穴を通じて手術中に患者の出血部位で発生する血液を吸入するための吸入部と、前記第１本体部または前記第２本体部の前記穴を通じて流体を供給して排出するための流体供給部と、を含むことができる。
【００２３】
その他の実施例の具体的な事項は、詳細な説明及び図面に含まれている。
【発明の効果】
【００２４】
前記したような本発明の手術器具によると、患者の生体組織の手術時、肉眼に接近しにくい深度の深い部位を小型カメラを通じてモニタリングすることによって、肉眼で接近しにくい深度の深い手術部位に対しても手術視野を確保することができる。よって、生体組織の剥離などのような手術を進行しながら、損傷してはいけない主要血管や重要臓器を避けて剥離を進行することができるため、手術の危険度を低下させることができる。
【００２５】
また、患者の生体組織の手術時に、暗くて深度の深い手術部位で発生する出血を吸入するか出血部位の洗浄または薬液の注入をすることができ、照明を照らして手術部位の視野を確保することで手術者が安全かつ迅速な手術を行うことができる。
【００２６】
また、既存のはさみ形態の手術器具に類似な形態で製作されるため、手術者は本手術器具の使用習得が容易である。
本発明の効果は、以上で言及した効果に制限されることなく、言及しない更に他の効果は請求範囲の記載から当業者に明確に理解されるだろう。
【図面の簡単な説明】
【００２７】
【図１】本発明の一実施例による手術器具を概略的に示した斜視図である。
【図２】手術器具の先端部が閉められた状態を示した平面図である。
【図３】手術器具の先端部が開けられた状態を示した平面図である。
【図４】図１に示した手術器具の分解斜視図である。
【図５】図４に示した第１本体部のＶ−Ｖ線に沿って見た断面図である。
【図６】図１のＡ部分を拡大した斜視図である。
【図７】図１のＢ部分を拡大した斜視図である。
【図８】図１のＣ部分を拡大した斜視図である。
【図９】図１のＤ部分を拡大した斜視図である。
【図１０】手術器具に内装されたカメラの焦点位置を示した例示図である。
【図１１】本発明による手術器具の使用状態を説明するための例示図である。
【発明を実施するための形態】
【００２８】
本発明の利点及び特徴、そしてそれを達成する方法は、添付する図面とともに詳細に後述されている実施例を参照すると、明確となるだろう。しかし、本発明は、以下で開示される実施例に限定されるのではなく、他の異なる形態に多様に具現することができる。本実施例はただ、本発明の開示が完全になるようにし、本発明の属する技術分野における通常の知識を有する者に発明の範囲を完全に知らせるために提供されるのであり、本発明は、請求項の範囲によって定義されるだけである。明細書全体にかけて同一な参照符号は同一な構成要素を示す。
【００２９】
以下、添付図面を参照して本発明の好適な実施形態による手術器具を詳細に説明する。なお、本発明を説明することにおいて、連関する公知機能または構成についての具体的な説明が本発明の要旨を不明瞭にすると判断される場合、その詳細な説明を省略する。
【００３０】
本発明で一貫して用いる「剥離（ｄｉｓｓｅｃｔｉｏｎ）」とは、積層された生体組織の間または異種の生体組織の間を開くことを意味する。本実施例では、積層された生体組織の間または異種の生体組織の間に挿入して組織の間を開く生体組織剥離器の形態の手術器具を例示したが、これに限定されるのではなく、剥離器以外の形態を有する多様な手術器具にも適用することができる。
【００３１】
図１は、本発明の一実施例による手術器具を概略的に示した斜視図であり、図２及び図３は、手術器具の先端部の開閉状態をそれぞれ示した平面図であり、図４は、図１に示した手術器具の分解斜視図であり、図５は、図４に示した第１本体部のＶ−Ｖに沿って見た断面図であり、図６〜図９は、図１のＡ、Ｂ、Ｃ及びＢ部分をそれぞれ拡大した斜視図であり、図１０は、手術器具に内装されたカメラの焦点位置を示した例示図である。
【００３２】
図１〜図１０に示したように、本発明の一実施例による手術器具は、第１本体部１１０、第２本体部１２０、ヒンジ部２００、撮影部３００、照明部４００、カメラガイド部５００、吸入部６００、及び流体供給部７００などを含むことができる。
【００３３】
本発明の手術器具は、全体的にはさみに類似な形態を有する組織剥離器で構成することができる。
第１本体部１１０と第２本体部１２０とは、一対に構成され、全体的にはさみ形態を有する手術器具の一側本体と他側本体とにそれぞれ該当し、望ましくは第１本体部１１０と第２本体部１２０とは互いに対称な形状を有する。
【００３４】
第１本体部１１０と第２本体部１２０とは、ほぼ中央部位で互いに交差して後述するヒンジ部２００によって回転自在に結合される。この際、第１本体部１１０と第２本体部１２０との交差回転する部位に、後述するヒンジ本体２１０の上面と下面にそれぞれ突出して形成された一対のヒンジ軸（２２１、２２２）が挿入されるように、ヒンジホール（１１６、１２６）をそれぞれ形成することができる。
【００３５】
第１本体部１１０と第２本体部１２０とは、生体組織の剥離を行うときに出血したまたは出血中である血液または異物などを吸入するか或いは出血部位を洗浄または消毒などのための流体（水または薬液）を供給するために、それぞれの先端に少なくとも一つの穴（１１１、１２１）が形成される。
【００３６】
例えば、本実施例では、穴（１１１、１２１）が、第１本体部１１０と第２本体部１２０とのそれぞれの先端の前面に一つ（１１１ａ）（１２１ａ）、そして内側面に２〜３個（１１１ｂ、１１１ｃ、１１１ｄ）（１２１ｂ、１２１ｃ、１２１ｄ）ぐらいで形成される構成を例示したが、これに限定されることなく多様な個数と形状を有することができる。また、第１本体部１１０の先端または第２本体部１２０の先端のうち、いずれかにのみ形成することもできるが、本実施例のように、第１本体部１１０の先端と第２本体部１２０の先端との両方に形成することが更に好ましい。この穴（１１１、１２１）は、後述するチューブ管挿入ホール（１１０ａ、１２０ａ）と連通するように形成され、後述するチューブ管（１１７、１２７）の先端と連結され、チューブ管（１１７、１２７）の後端は、後述するスイッチングバルブ８００を経て吸入部６００と流体供給部７００にそれぞれ連結される。
【００３７】
第１本体部１１０と第２本体部１２０との内部には、後述するチューブ管（１１７、１２７）が挿入されて内装されるように、チューブ管挿入ホール（１１０ａ、１２０ａ）が長手方向に形成される。本実施例では、第１本体部１１０と第２本体部１２０との先端からヒンジ部２００の位置するほぼ中央部位まで、チューブ管（１１７、１２７）が挿入されて完全に内装されるように、第１本体部１１０と第２本体部１２０との内部中心を貫通するチューブ管挿入ホール（１１０ａ、１２０ａ）がそれぞれ形成されている。また、中央部位から第１本体部１１０と第２本体部１２０との後端までは、チューブ管（１１７、１２７）の外周の外側部分が固定されるように、第１本体部１１０と第２本体部１２０との一側面（内壁）に半球形の溝形態を有するチューブ管固定溝（１１０ｂ、１２０ｂ）が形成されている。
【００３８】
しかし、チューブ管（１１７、１２７）を、第１本体部１１０と第２本体部１２０との先端から後端まで挿入して完全に内装されるように、チューブ管挿入ホール（１１０ａ、１２０ａ）を、第１本体部１１０と第２本体部１２０との内部中心を長手方向に全体にわたって貫くように形成することもできる。
【００３９】
第１本体部１１０と第２本体部１２０との先端に形成された穴を通じてチューブ管挿入ホール（１１０ａ、１２０ａ）に吸入された出血または異物などによる詰まりを防止するために、チューブ管挿入ホール（１１０ａ、１２０ａ）の直径を穴（１１１、１２１）の直径より大きく形成することが望ましい。また、チューブ管挿入ホール（１１０ａ、１２０ａ）は、第１本体部１１０と第２本体部１２０との前端から後方に行くほど内径が拡大されるように形成することもできる。
【００４０】
第１本体部１１０と第２本体部１２０との先端は、生体組織の間を容易に開けることができるよう、上方または下方に曲がったように形成することが望ましい。なお、第１本体部１１０と第２本体部１２０との後端には、指を入れて把持できるようにリング形態の取っ手部（１１３、１２３）を形成することができる。
【００４１】
第１本体部１１０と第２本体部１２０とは、後述するヒンジ部２００を中心とする回転時、ヒンジ本体２１０との干渉が発生しないように、第１本体部１１０と第２本体部１２０との交差回転の結合部位には、後述するヒンジ本体２１０を収容しうる大きさの空間を有するヒンジ収容部（１１５、１２５）をそれぞれ形成することができる。
【００４２】
ヒンジ部２００は、第１本体部１１０と第２本体部１２０とが交差して回転自在に結合される。例えば、ヒンジ部２００を中心に第１本体部１１０が上部に位置し、第２本体部１２０が下部に位置した状態で、第１本体部１１０と第２本体部１２０とが交差してヒンジ部２００の上部及び下部に回転自在に結合することができる。
【００４３】
ヒンジ部２００は、第１本体部１１０と第２本体部１２０との交差回転部位の間に位置するヒンジ本体２１０と、ヒンジ本体２１０の上面と下面に突出形成され、第１本体部１１０と第２本体部１２０とのヒンジホール（１１６、１２６）にそれぞれ挿入されてヒンジ結合される一対のヒンジ軸（２２１、２２２）で構成することができる。この際、ヒンジ本体２１０は、第１本体部１１０及び第２ヒンジ部１２０と回転による干渉が発生しないように、第１本体部１１０と第２本体部１２０とのヒンジ収容部（１１５、１２５）の内部に収容される形状を有する。例えば、本実施例では、ヒンジ本体２１０は、第１本体部１１０と第２本体部１２０とのヒンジ収容部（１１５、１２５）の全体面積よりは小さい大きさを有するほぼ直六面体の形状を有する構成を例示したが、これに限定することなくヒンジ収容部（１１５、１２５）に内装されるよう半径の小さい円板形状など、多様な形状に構成の選択が可能である。
【００４４】
また、ヒンジ本体２１０の内部には、前面中央にレンズが露出するように、後述するカメラ３００が内装され、後述するカメラ連結ケーブル３０１が挿入されて内装されるように、ケーブル挿入ホール（図示せず）がヒンジ本体２１０の中央を貫通して長手方向に形成される。また、ヒンジ本体２１０の内部には、後述する光繊維（４０１、４０２）が挿入されて内装されるように、光繊維挿入ホール（図示せず）がカメラ連結ケーブル３０１の両側に平行に貫通して長手方向に形成される。
【００４５】
撮影部３００は、手術器具が生体組織の間に挿入されながら組織間隔を開ける組織剥離を行うとき、第１本体部１１０の先端と第２本体部１２０の先端との間の組織剥離の中心部位を撮影するために、ヒンジ部２００に具備される。例えば、撮影部３００は、ヒンジ本体２１０の前面中央にレンズが露出するよう内装される小型ＣＣＤカメラ（以下、参照符号３００として説明する）を含むことができる。この際、カメラ３００の焦点は、第１本体部１１０の先端と第２本体部１２０の先端との間の空間の中央部位に向うように配置することが望ましい。また、カメラ３００で撮影された画像情報をモニター（図示せず）に伝送するために、カメラ連結ケーブル３０１がヒンジ本体２１０のケーブル挿入ホールを通じて挿入される。この際、カメラ連結ケーブル３０１の先端は、カメラ３００と連結され、後端はモニターに連結される。
【００４６】
照明部４００は、手術器具を患者の生体組織内に更に深く進入させて組織剥離手術の部位が更に深くなると暗いため、手術視野を確保するために、カメラ３００の前方を照明するようにヒンジ部２００に具備される。
【００４７】
照明部４００は、ヒンジ本体２１０に挿入されて内装され、光源（図示せず）で発生する光を光伝送して、カメラ３００の前方、より詳細には、第１本体部１１０の先端と第２本体部１２０との先端との間の組織剥離の中心部位を照射するようにガイドする光繊維（４０１、４０２）で構成される。ここで、光源は、光繊維（４０１、４０２）に光を提供しうる多様な形態の光発生装置を含むことができ、望ましくは発光ダイオード（ＬＥＤ）であってもよい。また、光繊維（４０１、４０２）は、ヒンジ本体２１０内にカメラ連結ケーブル３０１の両側に平行に貫通して長手方向に形成された光繊維挿入ホールに挿入され、先端がヒンジ本体２１０の前面に露出され、後端が光源と連結される。
【００４８】
本実施例で、照明部４００は、光繊維（４０１、４０２）で構成されることを例示したが、これに限定することなく、照明部４００は、カメラ３００の前方を照射するように、ヒンジ本体２１０の前面にカメラ３００を基準に上下または左右に対称となるように配置される電球またはＬＥＤランプなどで構成することができる。
【００４９】
カメラガイド部５００は、第１本体部１１０と第２本体部１２０とがヒンジ部２００を中心に回転するとき、ヒンジ本体２１０に内装されたカメラ３００の焦点が、第１本体部１１０の先端と第２本体部１２０の先端との間の空間の中央をいつも維持するようにカメラ３００の焦点位置をガイドする。
【００５０】
カメラガイド部５００は、ガイドロッド５１０、ピニオン５２０、及び一対のラック（５３１、５３２）ギアなどを含むことができる。
ガイドロッド５１０は、ヒンジ本体２１０の後方に長く延長するように棒形状に形成される。図示していないが、ガイドロッド５１０の内部には、ヒンジ本体２１０に内装されたカメラ連結ケーブル３０１及び光繊維（４０１、４０２）の後端が延長されるよう貫通ホール（図示せず）を形成することができる。ガイドロッド５１０の後端には、後述するピニオンシャフト５２３が上下方向に貫通するようにシャフトホール５１１が形成される。ここで、ピニオンシャフト５２３は、ヒンジ本体２１０のヒンジ軸（２２１、２２２）と平行に上下方向に位置する。
【００５１】
ピニオン５２０は、ガイドロッド５１０の後端に回転自在に結合される。ここで、ピニオン５２０の中央には、上下方向にピニオンシャフト５２３が挿入されるようにシャフトホール５２１が形成される。
【００５２】
一対のラック（５３１、５３２）は、ピニオン５２０とかみ合うように第１本体部１１０と第２本体部１２０にそれぞれ具備され、第１本体部１１０と第２本体部１２０との回転時、一対のラック（５３１、５３２）の間に位置するピニオン５２０を回転させながらガイドロッド５１０が第１本体部１１０と第２本体部１２０との間の中央にいつも位置するようにする。より詳細には、第１本体部１１０の後端に、第２本体部１２０と対向する方向に長く突出形成されてピニオン５２０の内側面とかみ合うように第１ラック５３１が具備され、第２本体部１２０の後端に、第１本体部１１０と対向する方向に長く突出形成されてピニオン５２０の外側面とかみ合うように第２ラック５３２を具備することができる。
【００５３】
第１ラック５３１の外側面には、ピニオン５２０の内側面とかみ合うように歯が形成され、第１ラック５３１の外側面と対向する第２ラック５３２の内側面には、ピニオン５２０の外側面とかみ合うように歯が形成される。即ち、第１ラック５３１と第２ラック５３２とは、ピニオン５２０を挟んで互いに対向するように平行して位置し、ヒンジ部２１０を回転中心にして全体的には弧形状を有することが望ましい。この際、手術器具の先端が閉められるとき（図２参照）は、第１ラック５３１と第２ラック５３２との中央にピニオン５２０が位置し、手術器具の先端が最大に開けられるとき（図３参照）は、第１ラック５３１と第２ラック５３２との端部にピニオン５２０が位置することが好ましい。よって、手術器具の先端が開けられて閉められる回転運動時、ガイドロッド５１０がピニオン５２０と一対のラック（５３１、５３２）ギアによって第１本体部１１０と第２本体部１２０との間の中央にいつも位置するようにすることで、ヒンジ部２００に内装されたカメラ３００の焦点が、第１本体部１１０の先端と第２本体部１２０の先端との間の組織剥離の中心部位をいつも維持するようにカメラ３００の焦点位置をガイドすることができる。
【００５４】
吸入部６００は、チューブ管（１１７、１２７）と連結され、第１本体部１１０または第２本体部１２０の先端に形成された穴（１１１、１２１）を通じて、生体組織剥離などのような手術中に患者の出血部位で発生する血液または異物を吸入する。ここで、吸入部６００は、エアーを用いるエアー吸入装置などを例に挙げることができる。
【００５５】
流体供給部７００は、チューブ管（１１７、１２７）と連結され、第１本体部１１０または第２本体部１２０の先端に形成された穴（１１１、１２１）を通じて、生体組織剥離などのような手術中に患者の出血部位を洗浄するか或いは薬液を注入するために、流体、例えば、水、消毒液、薬液などを供給して排出する。
【００５６】
吸入部６００及び流体供給部７００と、チューブ管（１１７、１２７）とが連結される中間部位には、スイッチングバルブ８００が具備され、吸入部６００による血液または異物などの吸入と流体供給部７００による流体供給を選択的に調整することができる。ここで、吸入部６００、流体供給部７００、及びスイッチングバルブ８００は、公知された技術で理解可能であるため、詳細な説明は省略する。
【００５７】
以下、図１１を参照して、本発明の一実施例による手術器具の作動を具体的に説明する。
図１１は、本発明による手術器具の使用状態を説明するための例示図である。
【００５８】
図１１に示したように、手術者は、手術器具の取っ手部（１１３、１２３）に指を入れて把持した状態で手術器具を身体１の内部に進入させるものの、手術器具の両先端を下に向けた状態で生体組織の間に挿入しながら組織間隔を開ける組織剥離を行いながら手術者の希望する手術部位に進入するようになる。
【００５９】
この際、組織剥離などを行う過程において生体組織の間に出血が発生するものの、本発明による手術器具の第１本体部１１０と第２本体部１２０とに内装されたチューブ管（１１７、１２７）が吸入部６００と連結されるようスイッチングバルブ８００を選択調整すると、チューブ管（１１７、１２７）と連結された各先端の穴（１１１、１２１）を通じて手術中に患者の出血部位で発生する血液及び異物などが吸入されて除去されるので、手術視野を確保することができる。また、チューブ管（１１７、１２７）が流体供給部７００と連結されるようスイッチングバルブ８００を選択調整すると、チューブ管（１１７、１２７）と連結された穴（１１１、１２１）を通じて、水、消毒液、薬液などを供給することによって、患者の出血部位を洗浄するか或いは手術部位に薬液を注入することができる。
【００６０】
また、手術者の希望する手術部位へ進行するために手術器具を更に深く進入させて組織剥離の手術部位が更に深くなると、手術者は肉眼でそれ以上接近しにくいため、手術視野の確保に限界がある。
【００６１】
この際、手術器具のヒンジ部２００に小型カメラ３００を内装して、患者の生体組織の手術時にカメラ３００によって手術部位を撮影し、撮影された画像情報をモニター（図示せず）に出力する。よって、手術者は、カメラ３００と連結されたモニターを見ながら肉眼で接近しにくい深度の深い手術部位に対しても手術視野を確保することができる。これにより、生体組織剥離などのような手術を進行しながら、損傷してはいけない主要血管や重要臓器を避けて剥離を行うことができるため、手術の危険度を低下させることができる。
【００６２】
この際、手術器具の先端が開けられて閉められる回転運動時、ガイドロッド５１０は、ピニオン５２０と一対のラック（５３１、５３２）ギアによって第１本体部１１０と第２本体部１２０との間の中央にいつも位置するようになる。よって、ガイドロッド５１０と連結されたヒンジ部２００に内装されたカメラ３００の焦点は、第１本体部１１０の先端と第２本体部１２０の先端との間の組織剥離の中心部位をいつも維持するようになる。
【００６３】
また、ヒンジ部２００に内装された光繊維（４０１、４０２）を用いて、光源で発生する光を伝送して第１本体部１１０の先端と第２本体部１２０の先端との間の手術部位を照明することによって、手術視野を確保することができる。
【００６４】
また、本発明は、既存のはさみ形態の手術器具に類似な形態で製作されるため、手術者は本手術器具の使用習得が容易である。
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものと了解される。
【００６５】
本発明の範囲は、前記詳細な説明よりは後述する特許請求の範囲によって示され、特許請求の範囲の意味及び範囲、そしてそれの均等概念から導出されるすべての変更または変形された形態が本発明の範囲に含まれることに理解すべきである。
【符号の説明】
【００６６】
１００    第１本体部
１１５、１２５    ヒンジ収容部
１１７、１２７    チューブ管
１２０    第２本体部
２００    ヒンジ部
２１０    ヒンジ本体
３００    撮影部、カメラ
４００    照明部
４０１、４０２    光繊維
５００    カメラガイド部
５１０    ガイドロッド
５２０    ピニオン
５３１、５３２    ラック
６００    吸入部
７００    流体供給部
８００    スイッチングバルブ
【図１】
2010259770.tif 000003
【図２】
2010259770.tif 000004
【図３】
2010259770.tif 000005
【図４】
2010259770.tif 000006
【図５】
2010259770.tif 000007
【図６】
2010259770.tif 000008
【図７】
2010259770.tif 000009
【図８】
2010259770.tif 000010
【図９】
2010259770.tif 000011
【図１０】
2010259770.tif 000012
【図１１】
2010259770.tif 000013